Podtech/llm-jp-corpus-v4-ja_patent huggingface dataset:
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
ニッケル（ＩＩ）含有組成物からニッケル金属（Ｎｉ（０））を製造するための方法であって、
ニッケル（ＩＩ）含有組成物及びガスを流動床反応器に供給するステップであり、前記ガスが、前記組成物からの固体を流し、しっかりと支えており、
前記ガスが、水蒸気を含むステップと、
前記ニッケル（ＩＩ）含有組成物中のニッケルを還元して、それによって前記ニッケル（ＩＩ）含有組成物からニッケル金属（Ｎｉ（０））を生成させるステップと
を含み、
前記組成物が、塩基性炭酸ニッケル、炭酸ニッケル、重炭酸ニッケル、シュウ酸ニッケル、ギ酸ニッケル、スクアリン酸ニッケル、酸化ニッケル及び水酸化ニッケルからなる群から選択されるニッケル（ＩＩ）含有物質を含む
上記方法。
【請求項２】
前記ニッケルを還元する前に前記ニッケル（ＩＩ）含有組成物を焼成するステップをさらに含む、ニッケル（ＩＩ）含有組成物からニッケル金属（Ｎｉ（０））を製造する請求項１に記載の方法。
【請求項３】
前記ニッケル（ＩＩ）含有組成物を焼成条件下で焼成するステップをさらに含む、ニッケル（ＩＩ）含有組成物からニッケル金属（Ｎｉ（０））を製造する請求項１に記載の方法。
【請求項４】
前記流動床反応器に酸素を含むガスを供給することを含む方法によって前記ニッケル（ＩＩ）含有組成物を焼成するステップをさらに含む、ニッケル（ＩＩ）含有組成物からニッケル金属（Ｎｉ（０））を製造する請求項１から３のいずれかに記載の方法。
【請求項５】
前記ニッケル（ＩＩ）含有組成物内に酸化ニッケルを生ずるための十分な時間及び温度で流動床を操作することを含む方法によって前記ニッケル（ＩＩ）含有組成物を焼成する
ステップをさらに含む、請求項１から４のいずれかに記載の方法。
【請求項６】
前記ニッケル（ＩＩ）含有組成物を、１未満の炭素：ニッケルの原子比率を有する焼成された生成物を生ずる焼成条件を用いて焼成するステップをさらに含む、請求項１から５のいずれかに記載の方法。
【請求項７】
前記ニッケル（ＩＩ）含有組成物を、２５０℃から６００℃の温度で焼成するステップをさらに含む、請求項１から６のいずれかに記載の方法。
【請求項８】
前記ニッケル（ＩＩ）含有組成物を、１０分から６時間の間焼成するステップをさらに含む、請求項１から７のいずれかに記載の方法。
【請求項９】
ニッケルを還元するステップが、還元剤を前記ガス中に導入することを含む、請求項１から８のいずれかに記載の方法。
【請求項１０】
ニッケルを還元するステップが、水素を含む還元剤を前記ガス中に導入することを含む、請求項１から９のいずれかに記載の方法。
【請求項１１】
ニッケルを還元するステップが、前記ニッケル（ＩＩ）含有組成物中のニッケル（ＩＩ）をニッケル（０）金属に還元するための十分な時間及び温度で前記流動床反応器を操作することを含む、請求項１から１０のいずれかに記載の方法。
【請求項１２】
ニッケルを還元するステップが、前記流動床反応器を２５０℃から３５０℃までであるニッケル（ＩＩ）を還元するための十分な温度で操作することを含む、請求項１から１１のいずれかに記載の方法。
【請求項１３】
ニッケルを還元するステップが、前記流動床反応器を１０分から４時間にわたって操作することを含む、請求項１から１２のいずれかに記載の方法。
【請求項１４】
前記ガスが、原位置で発生される水蒸気を含む、請求項１から１３のいずれかに記載の方法。
【請求項１５】
前記ガスが、前記反応器中に外部源から仕込まれた追加の水蒸気を含む、請求項１から１４のいずれかに記載の方法。
【請求項１６】
前記ガスが、自由に流れるニッケル金属（Ｎｉ（０））を生成する十分な水蒸気を含む、請求項１から１５のいずれかに記載の方法。
【誤訳訂正書】
【提出日】平成27年8月12日(2015.8.12)
【誤訳訂正１】
【訂正対象書類名】特許請求の範囲
【訂正対象項目名】全文
【訂正方法】変更
【訂正の内容】
【特許請求の範囲】
【請求項１】
少なくとも、組成物の全重量に関して表わされる重量パーセントで、
ａ）ポリアミドマトリックスと、
ｂ）２重量％〜２０重量％のアルミナと、
ｃ）２０重量％〜５０重量％のグラファイトと、
ｄ）５重量％〜４０重量％の難燃剤系と
を含んでなる組成物。
【請求項２】
組成物の全重量に関して、２０重量％〜８０重量％のポリアミドを含んでなることを特徴とする、請求項１に記載の組成物。
【請求項３】
２０重量％〜４０重量％のグラファイトを含んでなることを特徴とする、請求項１または２に記載の組成物。
【請求項４】
前記グラファイトが、樹脂中のマスターバッチの形態で前記組成物に添加されることを特徴とする、請求項１〜３のいずれか一項に記載の組成物。
【請求項５】
前記難燃剤系が、リンを含んでなる難燃剤、窒素を含んでなる有機化合物型の難燃剤およびハロゲン化誘導体を含んでなる難燃剤よりなる群から選択される少なくとも１種の難燃剤を含んでなることを特徴とする、請求項１〜４のいずれか一項に記載の組成物。
【請求項６】
前記難燃剤系が、少なくとも１種のホスホン酸もしくはその塩、または１種のホスフィン酸もしくはその塩を含んでなることを特徴とする、請求項１〜５のいずれか一項に記載の組成物。
【請求項７】
繊維充填材および／または非繊維充填材を含んでなることを特徴とする、請求項１〜６のいずれか一項に記載の組成物。
【請求項８】
請求項１〜７のいずれか一項に記載の組成物から得られる発光ダイオードに関連する部品。
【請求項９】
前記組成物を押出成形、成型または射出によって成形することによって製造される、請求項８に記載の部品。
【請求項１０】
少なくとも１つの発光ダイオードと、請求項１〜７のいずれか一項に記載の組成物から得られる１つの部品とを含んでなる照明デバイス。
【誤訳訂正２】
【訂正対象書類名】明細書
【訂正対象項目名】０００５
【訂正方法】変更
【訂正の内容】
【０００５】
したがって、様々な用途のために、機械特性および難燃剤特性に関して良好な妥協を示すと同時に、高い熱伝導率および低い電気伝導率、すなわち、良好な電気絶縁を示すポリアミドをベースとする組成物を考案することが必要とされている。
【誤訳訂正３】
【訂正対象書類名】明細書
【訂正対象項目名】０００７
【訂正方法】変更
【訂正の内容】
【０００７】
出願人は、特定の割合のグラファイトとアルミナとの組み合わせが上記課題を解決することを可能にし、そして機械特性および難燃剤特性に関して良好な妥協を示すと同時に、高い熱伝導率および適切な電気伝導率を示すポリアミド組成物を得ることを可能にすることを実証した。
【誤訳訂正４】
【訂正対象書類名】明細書
【訂正対象項目名】０００８
【訂正方法】変更
【訂正の内容】
【０００８】
このことは、グラファイトが上述のようにポリアミド中で熱伝導率および電気伝導率を増加させること、またアルミナが非常に高い割合で使用される場合、電気伝導率に影響を及ぼすことなく、熱伝導率を増加させることが知られたので、驚くべきことである。
【誤訳訂正５】
【訂正対象書類名】明細書
【訂正対象項目名】００３５
【訂正方法】変更
【訂正の内容】
【００３５】
組成物は、例えば、繊維充填材および／または非繊維充填材などの強化充填材またはバルキング充填材を含んでなることができる。繊維充填材としては、ガラス繊維、炭素繊維、天然繊維、アラミド繊維およびナノチューブ、特に炭素ナノチューブが記載されてよい。天然繊維としては、麻および亜麻が記載されてよい。特に、非繊維充填材の中では、全ての微粒子または薄板状充填材、および／または剥離可能もしくは剥離不可のナノ充填材、カーボンブラック、アルミノシリケート粘土、モンモリロナイト、ジルコニウムホスフェート、カオリン、炭酸カルシウム、珪藻土、マイカ、シリカ、二酸化チタン、ゼオライト、タルク、ウォラストナイト、ポリマー充填材、例えば、ジメタクリレート粒子、ガラスビーズまたはガラス粉末が記載されてよい。強化充填材の重量による濃度は、組成物の全重量に関して、都合よく、１重量％〜５０重量％、好ましくは１５重量％〜５０重量％であることができる。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
固体分散医薬組成物であって、該固体分散医薬組成物は、以下の（ａ）式Ｉの化合物、又はその薬学的に許容可能な塩、Ｎ−オキシド、活性代謝物、プロドラッグ、又は溶媒和物を含み、
【化１】
2014523445.tif 000001
式中、
Ｒ１はＨ又はアセチルであり；
Ｒ２はピリジル又はベンズイミダゾリルであり；
及び前記固体分散医薬組成物は、（ｂ）固形マトリクスを含み；
ここで、前記化合物は、固形マトリクス中で分散されることを特徴とする、固体分散医薬組成物。
【請求項２】
前記固形マトリクスは、ポリマーを含むことを特徴とする、請求項１に記載の固体分散医薬組成物。
【請求項３】
前記ポリマーは有機溶媒中で可溶性であることを特徴とする、請求項２に記載の固体分散医薬組成物。
【請求項４】
前記有機溶媒は、メタノールおよびアセトンの１つ以上を含むことを特徴とする、請求項３に記載の固体分散医薬組成物。
【請求項５】
スプレー乾燥した分散組成物であることを特徴とする、請求項１に記載の固体分散医薬組成物。
【請求項６】
前記ポリマーは、ヒドロキシプロピルメチルセルロースアセテートスクシナート（ＨＰＭＣＡＳ）を含むことを特徴とする、請求項２に記載の固体分散医薬組成物。
【請求項７】
前記ポリマーは、コポビドンを含むことを特徴とする、請求項２に記載の固体分散医薬組成物。
【請求項８】
前記固体分散医薬組成物は、カプセルまたは錠剤中にあることを特徴とする、請求項１に記載の固体分散医薬組成物。
【請求項９】
前記固体分散医薬組成物は、１日１回の投与のために処方されることを特徴とする、請求項１に記載の固体分散医薬組成物。
【請求項１０】
５−５０重量％の前記化合物又はその薬学的に許容可能な塩、Ｎ−オキシド、活性代謝物、プロドラッグ、又は溶媒和物を含むことを特徴とする、請求項１に記載の固体分散医薬組成物。
【請求項１１】
５重量％の前記化合物又はその薬学的に許容可能な塩、Ｎ−オキシド、活性代謝物、プロドラッグ、又は溶媒和物、および５重量％の固形マトリクスを含むことを特徴とする、請求項１に記載の固体分散医薬組成物。
【請求項１２】
少なくとも１０％の化合物が、撹拌しながら３７℃で水性培地への暴露の１５分以内にインビトロで固体分散医薬組成物から放出されることを特徴とする、請求項１に記載の固体分散医薬組成物。
【請求項１３】
約０．２ｇ／ｍｏｌから約０．３５ｇ／ｍｏｌのかさ密度を有する粒子を含むことを特徴とする、請求項１に記載の固体分散医薬組成物。
【請求項１４】
前記粒子は約１００μｍ以下の中位径を有することを特徴とする、請求項１３に記載の固体分散医薬組成物。
【請求項１５】
医薬組成物であって、該医薬組成物は、以下の式Ｉの化合物、又はその薬学的に許容可能な塩、Ｎ−オキシド、活性代謝物、プロドラッグ、又は溶媒和物を含み；
【化２】
2014523445.tif 000002
式中、
Ｒ１はＨ又はアセチルであり；
Ｒ２はピリジル又はベンズイミダゾリルであり；
前記化合物は、ほぼ非結晶形態にあり、および前記化合物は、当量が被験体に投与された時に、被験体が化合物を投与される時に絶食状態または食物を与えた状態であろうと、被験体においてほぼ同様の血漿濃度特性を示すことを特徴とする、医薬組成物。
【請求項１６】
前記化合物は非晶質であることを特徴とする、請求項１５に記載の医薬組成物。
【請求項１７】
前記化合物は、少なくとも約１週間、医薬組成物の貯蔵後に非晶質であることを特徴とする、請求項１６に記載の医薬組成物。
【請求項１８】
前記化合物は、少なくとも約１か月間、医薬組成物の貯蔵後に非晶質であることを特徴とする、請求項１６に記載の医薬組成物。
【請求項１９】
前記化合物は、約２５−４０℃／６０−７５％の相対湿度で貯蔵されることを特徴とする、請求項１８または１９に記載の医薬組成物。
【請求項２０】
前記医薬組成物は、ほぼ結晶形態にある当量の前記化合物を含む組成物と比較して、少なくとも２倍以上高いＡＵＣを達成するために処方されることを特徴とする、請求項１５に記載の医薬組成物。
【請求項２１】
前記当量は５−１００ｍｇ／ｋｇの用量であることを特徴とする、請求項１５に記載の医薬組成物。
【請求項２２】
前記用量は１日量であることを特徴とする、請求項２１に記載の医薬組成物。
【請求項２３】
Ｒ２はベンズイミダゾリルであことを特徴とする、請求項１乃至２２のいずれかに記載の医薬組成物。
【請求項２４】
前記化合物は、以下の式ＩＩの化合物、又はその薬学的に許容可能な塩であることを特徴とする、請求項１乃至２２のいずれかに記載の医薬組成物：
【化３】
2014523445.tif 000003
【請求項２５】
前記化合物は、以下の式ＩＩＩの化合物、又はその薬学的に許容可能な塩であることを特徴とする、請求項１乃至２２のいずれかに記載の医薬組成物：
【化４】
2014523445.tif 000004
【請求項２６】
被験体において癌を処置するための薬剤の製造における請求項１乃至２５のいずれかの医薬組成物の使用。
【請求項２７】
前記癌は前立腺癌であることを特徴とする、請求項２６に記載の使用。
【請求項２８】
前記前立腺癌は去勢耐性の前立腺癌であることを特徴とする、請求項２７に記載の使用。
【請求項２９】
固体分散医薬組成物を製造する方法であって、該固体分散医薬組成物は、式Ｉの化合物、又はその薬学的に許容可能な塩、Ｎ−オキシド、活性代謝物、プロドラッグ、又は溶媒和物を含み：
【化５】
2014523445.tif 000005
式中、
Ｒ１はＨ又はアセチルであり；
Ｒ２はピリジル又はベンズイミダゾリルであり；前記方法は、以下の工程：
ａ）化合物、固形マトリクス、及び溶媒を含む溶液を形成する工程；及び
ｂ）溶媒をほぼ除去し、それにより化合物の固体分散組成物をもたらす工程
を含むことを特徴とする、方法。
【請求項３０】
ほぼ除去する工程は、溶液をスプレー乾燥する工程を含むことを特徴とする、請求項２９に記載の方法。
【誤訳訂正書】
【提出日】平成27年6月3日(2015.6.3)
【誤訳訂正１】
【訂正対象書類名】特許請求の範囲
【訂正対象項目名】全文
【訂正方法】変更
【訂正の内容】
【特許請求の範囲】
【請求項１】
復号化された低周波スペクトルにノイズフィリングを行うステップと、
前記ノイズフィリングが行われた復号化された低周波スペクトルでゼロで残されているスペクトル係数に対して、一定振幅の係数を付加する反希薄性処理を行うステップと、
前記反希薄性処理が行われた復号化された低周波スペクトルを利用して、周波数ドメインで高周波拡張復号化を行うステップと、を含むことを特徴とする帯域幅拡張信号の復号化方法。
【請求項２】
前記一定振幅の係数はランダム符号を有することを特徴とする請求項１に記載の方法。
【請求項３】
前記高周波拡張復号化を行う段階は、ビットストリームに含まれた励起タイプに基づき行われることを特徴とする請求項１に記載の方法。
【請求項４】
前記励起タイプは、フレーム単位で割り当てられることを特徴とする請求項３に記載の方法。
【請求項５】
前記励起タイプは、２ビットを使って生成されることを特徴とする請求項３に記載の方法。
【請求項６】
請求項１ないし５のうちいずれか１項に記載の方法を実行するためのプログラムを記録したコンピュータで読み取り可能な記録媒体。
【誤訳訂正２】
【訂正対象書類名】明細書
【訂正対象項目名】０１０３
【訂正方法】変更
【訂正の内容】
【０１０３】
反希薄性処理部１０５０は、ノイズフィリング処理がＦＰＣ復号化信号で実行されているが、ゼロに復元されたスペクトルに雑音を付加することにより、メタリックノイズがＦＤ高周波数拡張復号化を実行した後に生成されないようにしてもよい。具体的には、反希薄性処理部１０５０は、ＦＤ低周波数拡張復号化部１０４０から提供される低周波数帯域のスペクトルから、ノイズの付加位置及びノイズの大きさを決定し、低周波数帯域のスペクトルに対して、決定されたノイズの付加位置及びノイズの大きさによる反希薄性処理を行い、ＦＤ高周波数拡張復号化部１０６０に提供する。反希薄性処理部１０５０は、図４に示した復元スペクトル生成部４１０を除き、ノイズ位置決定部４３０、ノイズ大きさ決定部４４０及びノイズ付加部４５０を備える。一実施形態によれば、全てのスペクトルがＦＰＣ復号化においてゼロに量子化されるサブバンドでノイズフィリング処理が実行される場合、反希薄性処理は、ノイズフィリング処理が実行されないサブバンドにノイズを付加し、ゼロに復元されたスペクトルを含めることにより実行されてもよい。他の実施形態によれば、反希薄性処理は、ＦＤ低周波数拡張復号化が実行されるサブバンドにノイズを付加し、ゼロに復元されたスペクトルを含めることにより実行されてもよい。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
生体試料の画像の画像品質を監視するための画像品質監視システムを備える生体イメージング用の顕微鏡システムであって、前記画像品質監視システムが、
生体試料の画像において１以上の生体基準オブジェクト（ＢＲＯ）をシステムのユーザに選択させるように構成された生体オブジェクト選択手段と、
１以上のＢＲＯの画像画素の信号レベルを画像背景信号レベルと比較して、生体試料の画像に対する１以上の画像品質パラメータを計算するように構成された画像品質評価手段とを備えており、当該システムが、ＢＲＯに特有の画像品質の指標としてユーザに画像品質パラメータを提示するように構成されている、顕微鏡システム。
【請求項２】
前記画像品質パラメータが、
ＢＲＯと背景との間の相対信号、
相対信号と背景との間の信号対背景比（ＳＢＲ）及び、
相対信号と背景雑音との間の信号対雑音比
のうちの１つ以上である、請求項１記載の顕微鏡システム。
【請求項３】
表示された生体試料の画像において１以上の背景基準領域（ＢＲＲ）をシステムのユーザに選択させるように構成された背景選択手段を備えていて、当該システムが、１以上の画像品質パラメータを計算するために、画像背景信号レベルとして１以上のＢＲＲの画像画素の信号レベルを使用するように構成されている、請求項１又は請求項２記載の顕微鏡システム。
【請求項４】
表示された生体試料の画像において１以上の背景基準領域（ＢＲＲ）を自動的に選択するように構成されていて、１以上の画像品質パラメータを計算するために、画像背景信号レベルとして１以上のＢＲＲの画像画素の信号レベルを使用するように構成されており、任意には、最も低い信号レベルを伴う画像画素を位置特定することによりＢＲＲを選択するように構成されている、請求項１又は請求項２記載の顕微鏡システム。
【請求項５】
前記生体オブジェクト選択手段が、表示された生体試料の画像における１以上の関心領域（ＲＯＩ）をマーキングすることにより、ユーザに１以上のＢＲＯを選択させるように構成されている、請求項１乃至請求項４のいずれか１項記載の顕微鏡システム。
【請求項６】
ＢＲＯクラスに関して所定の基準値に関係して、計算された画像品質パラメータを提示するように構成され、当該システムが、ユーザに異なるＢＲＯクラスの範囲から適切なＢＲＯクラスを選択させるように構成されている、請求項１乃至請求項５のいずれか１項記載の顕微鏡システム。
【請求項７】
当該システムが、ユーザにより選択されるＢＲＯ／ＢＲＲの特徴付ける特徴部に基づいて、画像又は後続の画像における追加的なＢＲＯ及び／又はＢＲＲを自動的に検出且つ選択するとともに、追加的なＢＲＯ及び／又はＢＲＲを用いて画像品質パラメータを計算するように構成されている、請求項１乃至請求項６のいずれか１項記載の顕微鏡システム。
【請求項８】
当該システムが、試料の横方向の偏移に基づいて、画像又は後続の画像におけるＢＲＯ及び／又はＢＲＲを自動的に再度位置決めするように構成されている、請求項１乃至請求項７のいずれか１項記載の顕微鏡システム。
【請求項９】
機能的に規定された最適化モードのリストから最適化モードをユーザが選択することのできる画像品質オプティマイザを備えており、当該システムが、１以上の画像取得パラメータを自動的にセットして、ＢＲＯに基づいて、選択された最適化モードに対する最適なイメージングを実現するように構成されている、請求項１乃至請求項８のいずれか１項記載の顕微鏡システム。
【請求項１０】
機能的に規定された最適化モードが、
最良の画像品質、
高速の取得、
低い退色及び、
３Ｄイメージング
のうちの１つ以上を含む、請求項９記載の顕微鏡システム。
【請求項１１】
励起光源と、生体試料から放射される蛍光を自記するように構成された検出器とを備える蛍光顕微鏡であって、任意には、共焦点顕微鏡又は可変共焦点絞りを備えるライン共焦点顕微鏡である、請求項１乃至請求項１０のいずれか１項記載の顕微鏡システム。
【請求項１２】
グラフィカルユーザインターフェースを備える画像品質監視システムを使用して生体試料の画像の画像品質を監視する方法であって、
グラフィカルユーザインターフェースの生体オブジェクト選択手段を使用して、生体試料の画像における１以上の生体基準オブジェクト（ＢＲＯ）を選択し、
１以上のＢＲＯの画像画素の信号レベルを画像背景信号レベルと比較して、生体試料の画像に対する１以上の画像品質パラメータを計算し、且つ、
グラフィカルユーザインターフェースを介して、ＢＲＯに特有の画像品質の指標として画像品質パラメータを提示する
ことを含む方法。
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
活性骨髄を含む身体部分の電離放射線からの保護を提供する放射線防護装置であって、前記身体部分に吸収される放射線量を低減するように、該身体部分に隣接して配置されるとともに該身体部分を外側から覆うように構成されている放射線防護構成部材を含む、放射線防護装置。
【請求項２】
前記活性骨髄を含む身体部分は：頭蓋骨、胸骨、肋骨、椎骨、上腕骨、骨盤及び大腿骨からなる骨の群から選択される骨を含む、請求項１に記載の装置。
【請求項３】
前記放射線防護構成部材は放射線減衰構成部材を含む、請求項１に記載の装置。
【請求項４】
前記放射線減衰構成部材は、該放射線減衰構成部材にわたって様々な放射線減衰レベルを提供するように構成されている、請求項３に記載の装置。
【請求項５】
前記放射線減衰構成部材にわたる前記様々な放射線減衰レベルは、前記放射線減衰構成部材の所与の地点と前記活性骨髄との間に存在する組織の放射線減衰レベルに反比例する、請求項４に記載の装置。
【請求項６】
前記様々な放射線減衰レベルは、式
【数１】
2014523518.tif 000001
によって求められ、式中、ＡＲは、前記放射線減衰構成部材の地点ｘ、ｙ、ｚにおいて必要な放射線減衰であり、ＡＤは、前記身体部分内に含まれる前記活性骨髄に吸収される前記放射線量を所望のレベルに低減するのに必要な放射線減衰レベルであり、ＡＴは、前記地点ｘ、ｙ、ｚと前記身体部分内に含まれる前記活性骨髄との間の前記組織の放射線減衰レベルである、請求項５に記載の装置。
【請求項７】
前記活性骨髄に対して実質的に一様な放射線防護を提供するように構成されている、請求項６に記載の装置。
【請求項８】
前記放射線減衰構成部材は、様々な厚さ又は密度の放射線減衰材料を含む、請求項４に記載の装置。
【請求項９】
前記放射線減衰構成部材は放射線減衰材料の層を含む、請求項４に記載の装置。
【請求項１０】
前記放射線減衰材料の層は、独自の形状を有し、重ねられると、前記放射線減衰構成部材の地点と前記身体部分内に含まれる前記活性骨髄との間の組織の放射線減衰レベルに関連するトポグラフィーを画定する、請求項９に記載の装置。
【請求項１１】
前記放射線減衰構成部材は、バリウム化合物、硫酸バリウム、塩化バリウム、タングステン化合物、タングステンカーバイド、酸化タングステン、タングステン、ビスマス化合物、ビスマス、鉛、タンタル化合物、チタン、チタン化合物、ジアトリゾ酸メグルミン、アセトリゾ酸ナトリウム、ホウ素、ホウ酸、酸化ホウ素、ホウ素塩、他のホウ素化合物、ベリリウム、ベリリウム化合物、ブナミオジルナトリウム、ジアトリゾエートナトリウム、エチオダイズド油、イオベンザム酸、イオカルム酸、イオセタム酸、ヨージパミド、イオジキサノール、ヨード油、ヨードアルフィオン酸、ｏ−ヨード馬尿酸ナトリウム、ヨードフタレインナトリウム、ヨードピラセット、イオグリカム酸、イオヘキソール、ヨーメグラム酸、イオパミドール、イオパノ酸、イオペントール、ヨーフェンジラート、イオフェノキシ酸、水、イオプロミド、イオプロン酸、イオピドール、イオピドン、イオタラム酸、イオトロラン、イオベルソール、イオキサグル酸、イオキシラン、イポデート、メグルミンアセトリゾエート、メグルミンジトリゾエートメチオダールナトリウム、メトリザミド、メトリゾ酸、フェノブチオジル、フェンテチオタレインナトリウム、プロピリオドン、ヨードメタム酸ナトリウム、ソゾヨード酸、酸化トリウム、トリパノエートナトリウム、ウラン及び劣化ウランからなる材料の群から選択される１つ又は複数の材料を含む、請求項３に記載の装置。
【請求項１２】
前記放射線減衰構成部材は、ヘルメット、二股衣服及びベルトからなるアイテムの群から選択される着用可能なアイテムに組み込まれる、請求項３に記載の装置。
【請求項１３】
被験体の骨髄を電離放射線から保護する方法であって、放射線防護構成部材を含む放射線防護装置を、活性骨髄を含む前記被験体の身体部分に隣接して外側から覆うように配置することを含む、方法。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
シャワートレーであって、熱交換器を備え、前記熱交換器は、新しい水を加熱するための廃水からの熱回収のために前記シャワートレーの下方に配列され、第１の熱交換器表面は、前記廃水と接し、第２の熱交換器表面は、前記新しい水と接し、前記第１の熱交換器表面は、前記シャワートレーのベースまたは前記ベースの一部を形成し、前記シャワートレーは、アルミニウムまたはアルミニウム合金から製造される、シャワートレー。
【請求項２】
前記第２の熱交換器表面は、配管または１以上のプレートにより形成され、前記配管または前記１以上のプレートは、材料嵌合接続、特に、溶接またははんだづけにより、前記シャワートレーの前記ベースに接続される、請求項１に記載のシャワートレー。
【請求項３】
前記配管は、アルミニウムまたはアルミニウム合金からなる外側層を有し、かつ、銅または銅合金からなる内側層を有する複合配管である、請求項２に記載のシャワートレー。
【請求項４】
前記シャワートレーおよび前記配管の外側は、陽極酸化される、請求項３に記載のシャワートレー。
【請求項５】
前記配管は、レーザ溶接により製造される溶接点により、前記シャワートレーの前記ベースに溶接される、請求項２から４のうちいずれか一項に記載のシャワートレー。
【請求項６】
各場合における前記溶接点は、前記配管と前記ベースとの間に接触領域を有し、２ｍｍ未満の直径、および／または、１．５ｍｍ〜２．５ｍｍの間であり、特に２ｍｍの、前記領域中の前記溶接点の中央点の間の距離を有する、請求項５に記載のシャワートレー。
【請求項７】
カバーを備え、前記シャワートレーは、前記シャワートレーの第１のエッジおよび第２のエッジを備え、前記第１および第２のエッジは互いに反対側に位置し、前記カバーを支持するための傾斜した支持領域が前記第１のエッジに存在し、下部を切られたエッジ領域が、前記第１のエッジの反対側に位置する前記シャワートレーの前記第２のエッジに存在する、請求項１から６のうちいずれか一項に記載のシャワートレー。
【請求項８】
シャワートレーを製造するための方法であって、
・成形プロセスにより、特に、ハイドロフォーミングにより、アルミニウムブランク材を前記シャワートレーの形状に形付けるステップと、
・少なくとも外側がアルミニウムまたはアルミニウム合金からなる配管を、前記シャワートレーの前記トレーベースの下側へと溶接またははんだづけするステップと、
・前記シャワートレーおよび前記配管を陽極酸化するステップとを含む、方法。
【請求項９】
・前記配管をマニホールドに接続するか、または、前記マニホールドへの移行配管に接続するステップと、
・前記配管と前記マニホールドまたは前記移行配管との間の接続の領域中で、電気的絶縁層をこれらの領域の外側に製造するステップとをさらに含む、請求項８に記載のシャワートレーを製造するための方法。
【請求項１０】
前記方法が繰り返し実施されることにより、異なる距離に延ばされた外側エッジ領域を有するシャワートレーが製造され、前記外側エッジ領域は、前記シャワートレーのくぼみのエッジ領域につながる、請求項８または９に記載のシャワートレーを製造するための方法。
【請求項１１】
シャワートレーであって、熱交換器を備え、前記熱交換器は、新しい水を加熱するための廃水からの熱回収のために前記シャワートレーの下方に配列され、第１の熱交換器表面は、前記廃水と接し、第２の熱交換器表面は、前記新しい水と接し、前記第１の熱交換器表面は、前記トレーベースまたは前記トレーベースの一部を形成し、前記シャワートレーは鋼合金から製造され、異なる金属からなるベースプレートは、前記シャワートレーの下方の前記トレーベースの領域中で、前記トレーベースに固定され、これにより、前記ベースプレートの実質的に全面にわたって前記トレーベースへの熱伝導接続が形成され、配管は、前記ベースプレートの下方で、特に溶接またははんだづけにより、材料嵌合接続により前記ベースプレートに接続され、前記配管は、前記第２の熱交換器表面を形成し、前記ベースプレートは、接着層を用いた接着により、前記トレーベースの下側に固定され、前記接着層は、接着膜である、シャワートレー。
【請求項１２】
前記接着膜には、その熱伝導性を改善させるために、凝集体が加えられるか、または凝集体が分散される、請求項１１に記載のシャワートレー。
【請求項１３】
前記ベースプレートの前記金属および前記配管の少なくとも外側の前記配管の前記金属は、アルミニウムまたはアルミニウム合金である、請求項１１から１２のうちいずれか一項に記載のシャワートレー。
【請求項１４】
前記配管は、アルミニウムまたはアルミニウム合金からなる外側層を有し、かつ、銅または銅合金からなる内側層を有する複合配管である、請求項１３に記載のシャワートレー。
【請求項１５】
シャワートレーを製造するための方法であって、
・成形プロセスにより、鋼ブランク材を前記シャワートレーの形状に形付けるステップと、
・前記シャワートレーのトレーベースの形状の安定化のために、リブを固定し、特に、溶接またははんだづけするステップと、
・前記シャワートレーをエナメル加工するステップと、
・配管が取付けられたベースプレートを前記トレーベースの下側に接着するか、または、前記ベースプレートを前記トレーベースの前記下側に接着し、次に、前記配管を前記ベースプレートに取付けるステップとを含む、方法。
【請求項１６】
前記シャワートレーをエナメル加工するために、
・前記リブを有する前記シャワートレーをエナメル加工し、これにより、前記トレーベースの前記下側にエナメル層を形成するステップと、
・前記トレーベースの前記下側の前記エナメル層を除去するステップとを含む、請求項１５に記載のシャワートレーを製造するための方法。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
包埋剤の少なくとも一部を包埋生体試料から除去する方法であって：
包埋生体試料をその表面上に有する少なくとも１つの支持体を前処置容器中に配置すること、
前記前処置容器に層を形成する少なくとも１つの試薬を添加すること、試薬形成層がキャリア組成物の上に形成されるように、および前記少なくとも１つの試薬形成層が前記包埋生体試料の少なくとも一部に接触するような量で、前記キャリア組成物を前記前処置容器に添加すること、
を含む、方法。
【請求項２】
少なくとも１つの支持体を前記前処置容器中に配置した後で、前記前処置容器に前記キャリア組成物の表面上へ前記層を形成する少なくとも１つの試薬を添加する前に、前記キャリア組成物が前記前処置容器に添加され、さらに前記キャリア組成物が前記包埋生体試料と接触しない、請求項１に記載の方法。
【請求項３】
さらに前記少なくとも１つの試薬形成層が前記包埋生体試料全体に接触するまで前記キャリア組成物の体積が増加される、請求項１に記載の方法。
【請求項４】
さらに前記２相系が前記生体試料と接触している場合には、絶えず動いている、請求項１に記載の方法。
【請求項５】
前記２相系は、前記２相系の体積が増加すると上方向に、前記２相系の体積が減少すると下方向に移動する、請求項４に記載の方法。
【請求項６】
前記試薬形成層の少なくとも一部が前記前処置容器からオーバーフローするまで前記前処置容器中の前記キャリア組成物の体積を増加させることによって、前記試薬形成層の少なくとも一部を除去することをさらに含む、請求項１に記載の方法。
【請求項７】
前記試薬形成層が前記包埋生体試料の少なくとも一部と２度目に接触するように、前記キャリア組成物の少なくとも一部を前記前処置容器から除去することをさらに含む、請求項１から６のいずれか一項に記載の方法。
【請求項８】
追加のキャリア組成物を前記前処置容器に添加して、したがって前記試薬形成層を生体試料の少なくとも一部に３度目に接触させて、次に前記キャリア組成物の少なくとも一部を除去して、これにより前記試薬形成層の少なくとも一部を前記包埋生体試料の少なくとも一部と４度目に接触させることをさらに含む、請求項１から６のいずれか一項に記載の方法。
【請求項９】
前記試薬形成層が前記包埋材の融点よりも低い温度である、請求項１から４のいずれか一項に記載の方法。
【請求項１０】
包埋生体試料の前処置方法であって、
包埋生体試料をその表面上に有する少なくとも１つの支持体を前処置容器中に配置すること、
キャリア組成物であって、前記包埋生体試料に接触しない前記キャリア組成物を前記前処置容器に添加すること、
前記前処置容器に前記キャリア組成物の表面上へ層を形成する少なくとも１つの試薬を添加すること、
少なくとも１つの試薬形成層が前記包埋生体試料の少なくとも一部に接触するまで、前記前処置容器中のキャリア組成物の量を増加させること、
試薬形成層の少なくとも一部が前記前処置容器からオーバーフローするまで前記前処置容器中の前記キャリア組成物の体積を増加させることによって、前記試薬形成層の少なくとも一部を除去すること、
前記支持体を前記前処置容器から除去すること、
前記キャリア組成物が標的賦活化緩衝剤でない場合、前記キャリア組成物を前記前処置容器から排出させて、前記前処置容器に標的賦活化緩衝剤を充填すること、
前記標的賦活化緩衝剤を所望の温度であって、加熱標的賦活化に適切な温度まで加熱すること、
前記支持体を前記前処置容器中に配置すること、
前記生体試料を所望のプロトコルに従う時間間隔にわたってインキュベートすること
による包埋生体試料からの包埋剤の除去および加熱標的賦活化を含む、前処置方法。
【請求項１１】
前記試薬形成層が前記包埋生体試料の少なくとも一部と２度目に接触するように、オーバーフローの前に前記キャリア組成物の少なくとも一部を前記前処置容器から除去することをさらに含む、請求項１０に記載の前処置方法。
【請求項１２】
前記キャリア組成物が液化した前記包埋剤を除去することができ、前記試薬形成層と非混和性である水性緩衝剤溶液である、請求項１に記載の方法。
【請求項１３】
前記キャリア組成物および前記標的賦活化緩衝剤が同じである、請求項１０または１１に記載の方法。
【請求項１４】
前記キャリア組成物および前記標的賦活化緩衝剤が異なる、請求項１０または１１に記載の方法。
【請求項１５】
包埋生体試料の自動化前処置のための装置であって、
支持体ホルダー、ならびに
オーバーフローチャネルおよびオーバーフロードレイン、液体を容器に底部を通じて供給する入口、温度を測定するためのセンサを備える前処置容器
を備える装置。
【請求項１６】
双方向ポートをさらに備える、請求項１５に記載の装置。
【請求項１７】
空気を前記容器内に強制的に送り込むファンをさらに備える、請求項１５または１６に記載の装置。
【請求項１８】
加熱要素をさらに備える、請求項１６に記載の装置。
【請求項１９】
分散グリッドを装備した開放内部フレームをさらに備える、請求項１５から１８のいずれか一項に記載の装置。
【請求項２０】
前記試料ホルダーがラックアームを装備したスライドラックである、請求項１５から１９のいずれか一項に記載の装置。
【請求項２１】
前記スライドラックが前記内部フレーム内側に配置され、さらに前記前処置容器が、前記容器および前記内部フレーム内で前記スライドラックが適正な配置となるように誘導するラックガイドを装備する、請求項２０に記載の装置。
【請求項２２】
２相系の少なくとも一部を前記前処置容器の上部から除去することができる水平移動バーをさらに備える、請求項１５から２１のいずれか一項に記載の装置。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
外科用顕微鏡システムであって、
撮像光学系を備え、前記撮像光学系の対象フィールドのある部分を、前記撮像光学系のカメラセンサに撮像するための前記撮像光学系は、前記対象フィールドの前記部分を前記カメラセンサに撮像するために、前記撮像光学系の倍率を変えるためのズームレンズ構成を含み、さらに
光干渉断層撮影による測定を行なうために、ＯＣＴ測定ビームを生成するためのＯＣＴシステムと、
前記ＯＣＴ測定ビームを偏向させ、前記ＯＣＴ測定ビームを対象フィールドの選択可能な場所に案内するためのビーム偏向器と、
グラフィカルユーザインターフェイスとを備え、前記グラフィカルユーザインターフェイスは、前記カメラセンサによって検出された前記対象フィールドの前記部分の画像を、前記グラフィカルユーザインターフェイスの描画領域に表示し、さらに
ＯＣＴ測定ブームが前記対象フィールド上に調整可能な走査経路に沿って案内されるよう、およびＯＣＴ測定が前記走査経路の複数の場所で取られるよう、前記ビーム偏向器および前記ＯＣＴシステムを制御するための第１の制御モジュールと、
走査経路を定めるための第２の制御モジュールとを備え、前記第２の制御モジュールは、前記走査経路を前記グラフィカルユーザインターフェイスの前記描画領域に表示するよう構成されており、前記描画領域の前記走査経路を表わす点の座標は、前記走査経路に対応する前記ビーム偏向器の偏向角と、さらに撮像光学系の倍率とに依存して定められる、外科用顕微鏡システム。
【請求項２】
前記グラフィカルユーザインターフェイスは、前記対象フィールドに対して前記走査経路を動かすための少なくとも１つの制御エレメントを含む、請求項１に記載の外科用顕微鏡システム。
【請求項３】
前記グラフィカルユーザインターフェイスは、前記対象フィールドに対して前記走査経路の横方向の広がりを変えるための少なくとも１つの制御エレメントを含む、請求項１または２に記載の外科用顕微鏡システム。
【請求項４】
前記第２の制御モジュールは、前記グラフィカルユーザインターフェイスを介して受取られたユーザ入力に依存して、前記走査経路のジオメトリを調整するよう構成されている、請求項１から３のいずれか１項に記載の外科用顕微鏡システム。
【請求項５】
前記グラフィカルユーザインターフェイスは、前記走査経路の複数の場所を前記描画領域に表示するよう構成され、前記複数の場所は前記ＯＣＴ測定が取られた場所である、請求項１から４のいずれか１項に記載の外科用顕微鏡システム。
【請求項６】
前記外科用顕微鏡システムは、いくつかのＯＣＴ測定、および前記ＯＣＴ測定が取られた、走査経路の場所のうちの少なくとも１方が、前記グラフィカルユーザインターフェイスによって設定可能であるよう構成されている、請求項５に記載の外科用顕微鏡システム。
【請求項７】
前記グラフィカルユーザインターフェイスは、複数の所定の走査経路タイプからある走査経路タイプを選択するための少なくとも１つの制御エレメントを含む、請求項１から６のいずれか１項に記載の外科用顕微鏡システム。
【請求項８】
前記グラフィカルユーザインターフェイスは、前記選択された走査経路タイプが、前記グラフィカルユーザインターフェイスを介したユーザ入力に依存して適合可能であるよう構成されている、請求項７に記載の外科用顕微鏡システム。
【請求項９】
少なくとも１つの所定の走査経路タイプのある走査経路は、線形的に延在しかつ互いに横方向に間隔が空けられている複数の走査線を含む、請求項１から８のいずれか１項に記載の外科用顕微鏡システム。
【請求項１０】
前記グラフィカルユーザインターフェイスは、走査線の長さを変えるための少なくとも１つの制御エレメントを含む、請求項９に記載の外科用顕微鏡システム。
【請求項１１】
前記グラフィカルユーザインターフェイスは、走査線の横方向の距離を変えるための少なくとも１つの制御エレメントを含む、請求項９または１０のいずれか１項に記載の外科用顕微鏡システム。
【請求項１２】
前記グラフィカルユーザインターフェイスは、ＯＣＴ測定の結果を表示するための少なくとも１つの描画領域を含む、請求項１から１１のいずれか１項に記載の外科用顕微鏡システム。
【請求項１３】
前記走査経路は複数の走査線を含み、前記グラフィカルユーザインターフェイスは、各々が複数の走査線のいずれか１つに関連するＯＣＴ測定の結果を表示するよう構成されている複数の描画領域を含む、請求項１から１２のいずれか１項に記載の外科用顕微鏡システム。
【請求項１４】
前記第２の制御モジュールは、前記描画領域における走査経路を表わす点の座標を、さらに所定のパラメータに依存して定めるよう構成されており、前記所定のパラメータは、前記描画領域の座標の並進に影響する、請求項１から１３のいずれか１項に記載の外科用顕微鏡システム。
【請求項１５】
前記第２の制御モジュールは、前記描画領域における走査経路を表わす点の座標を、さらに所定のパラメータに依存して定めるよう構成されており、前記所定のパラメータは、前記描画領域の座標のスケーリングに影響する、請求項１から１４のいずれか１項に記載の外科用顕微鏡システム。
【請求項１６】
前記グラフィカルユーザインターフェイスは前記所定のパラメータを調整するための少なくとも１つの制御エレメントを含む、請求項１４または１５に記載の外科用顕微鏡システム。
【請求項１７】
較正オブジェクトをさらに備え、前記較正オブジェクトは互いに対して所定の位置およ
び所定の配向の少なくとも１方で配置される第１の構造および第２の構造を含み、第１の構造はカメラセンサによって検出可能であり、第２の構造はＯＣＴシステムによって検出可能である、請求項１４から１６のいずれか１項に記載の外科用顕微鏡システム。
【請求項１８】
第３の制御モジュールをさらに備え、前記第３の制御モジュールは、前記カメラセンサによって検出された画像の第１の構造の位置および配向の少なくとも１方と、ＯＣＴ測定に基づく対象フィールドにある第２の構造の位置および配向の少なくとも１方とを定めるよう、かつ前記第１の構造の前記定められた位置および配向の少なくとも１方、前記第２の構造の前記定められた位置および配向の少なくとも１方、ならびに前記撮像光学系の倍率に依存して所定のパラメータを調整するよう構成されている、請求項１７に記載の外科用顕微鏡システム。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
フォトレジストと、
該フォトレジストに分散した二光子光開始剤系と、
該フォトレジストに分散したポリマー連結ナノ粒子と、を含み、
該ポリマー連結ナノ粒子が、ポリマーとナノ粒子との間の共有結合を含み、
露光されていない、組成物。
【請求項２】
フォトレジスト、該フォトレジストに分散した二光子光開始剤系、及び該フォトレジストに分散したポリマー連結ナノ粒子を含むとともに、該ポリマー連結ナノ粒子が、ポリマーとナノ粒子との間の共有結合を含む、露光していない組成物を準備することと、
該露光していない組成物を走査レーザー光線に暴露させて、物品の形状に露光した組成物を形成することと、
該組成物を現像すること、とを含む、物品の製造方法。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
システムであって、
計算デバイスの少なくとも１つのプロセッサーと、
前記計算デバイスのメモリーと、
前記メモリーにロードされる少なくとも１つのモジュールと、
を含み、前記少なくとも１つのモジュールが前記少なくとも１つのプロセッサーに、
統合開発環境（ＩＤＥ）においてブラウザー内での選択を選ぶステップであって、前記選択が、ウェブ・サーバーから受けたフェッチ・ファイルからのコンテンツに関連する、ステップと、
前記フェッチ・ファイルにおいて前記コンテンツを生成したソース・ファイルにおける位置範囲に前記選択をマッピングするステップと、
前記ソース・ファイルに対しなされたユーザー変更を受けるステップと、
前記変更されたソース・ファイルを前記ウェブ・サーバーにアップロードするステップと、
前記ソース・ファイルに対しなされた前記ユーザー変更に基づいて前記ウエブ・ブラウザーからアップデートされたコンテンツを受けるステップと、
前記ＩＤＥにおけるソース・コード・エディター内で前記変更されたソース・ファイルと同時に前記ブラウザーにおける前記選択を表示するステップであって、前記ブラウザーにおける前記選択に対応する前記位置範囲まで前記変更されたソース・ファイルがスクロールされる、ステップと、
を行わせ、前記ブラウザーにおける前記表示された選択が前記アップデートされたコンテンツを含む、システム。
【請求項２】
請求項１記載のシステムにおいて、前記少なくとも１つのプロセッサーが、前記フェッチ・ファイルにおける位置範囲を、特定のソース・ファイルにおける特定の位置範囲にマッピングするメタデーターを受信し、前記メタデーターが、前記特定のソース・ファイルに対するパスと、前記特定のソース・ファイルにおける開始位置とを含む、システム。
【請求項３】
請求項２記載のシステムにおいて、前記少なくとも１つのモジュールが、前記受信したメタデーターからマッピング・テーブルを生成し、前記マッピング・テーブルが、前記フェッチ・ファイルにおける位置範囲を、ソース・ファイルにおける位置範囲にマッピングする、システム。
【請求項４】
請求項１記載のシステムにおいて、前記少なくとも１つのモジュールが、更に、
前記ブラウザーにおける選択を、ダイナミック・ブラウザー・ファイル・ブロック・リストにおける位置範囲にマッピングするステップと、
前記ダイナミック・ブラウザー・ファイル・ブロック・リストにおける前記位置範囲を、フェッチ・ファイル・ブロック・リストにおける位置範囲にマッピングするステップと、
前記フェッチ・ファイル・ブロック・リストにおける前記位置範囲を、前記ブラウザーにおいて前記選択を生成したソース・ファイルにおける対応する位置範囲にマッピングするステップと、

を含む、システム。
【請求項５】
方法であって、
ソフトウェア開発コンピューターのプロセッサーによって、ウェブ・サーバーから、統合開発環境（ＩＤＥ）におけるブラウザー内のユーザー選択を受信するステップと、
前記ブラウザーにおける前記選択を、フェッチ・ファイルにおける位置範囲にマッピングするステップであって、前記フェッチ・ファイルが、ハイパーテキスト転送プロトコル（ＨＴＴＰ）要求に応答して、ウェブ・サーバーから受信したファイルを含む、ステップと、
前記フェッチ・ファイルにおける前記位置範囲を、前記ブラウザーにおいて前記ユーザー選択を生成したソース・ファイルにおける位置範囲にマッピングするステップと、
前記ソース・ファイルに対しなされたユーザー変更を受けるステップと、
前記変更されたソース・ファイルを前記ウェブ・サーバーにアップロードするステップと、
前記変更されたソース・ファイルに基づいて前記ウエブ・ブラウザーからアップデートされたコンテンツを受けるステップと、
ＩＤＥにおける前記ブラウザー内の前記選択を、前記ＩＤＥのソース・コード・エディターにおける前記ブラウザーにおける前記ユーザー選択を生成した前記位置範囲にスクロールされる前記変更されたソース・ファイルにおける位置範囲と同時に表示するステップと、
を含み、前記ブラウザーにおける前記表示された選択が、前記アップデートされたコンテンツを含む、方法。
【請求項６】
請求項５記載の方法であって、更に、
前記フェッチ・ファイルにおける位置範囲を、前記フェッチ・ファイルの前記位置範囲においてコンテンツを発生したソース・ファイルにおける対応する位置範囲にマッピングするメタデーターを受信するステップを含み、前記メタデーターが、前記ソース・ファイルへのパスと、前記フェッチ・ファイルにおける前記位置範囲に対応する前記ソース・ファイルにおける前記対応する位置範囲とを含む、方法。
【請求項７】
請求項６記載の方法であって、更に、
前記ソフトウェア開発コンピューターのメモリーにおいてマッピング・テーブルを生成するステップを含み、前記マッピング・テーブルが、前記フェッチ・ファイルとブラウザー・ファイルとの間で関連を作ることによって、前記ブラウザーにおけるコンテンツを、前記フェッチ・ファイルにおける対応するコンテンツにマッピングする、方法。
【請求項８】
請求項７記載の方法であって、更に、サーバー・コンテンツを生成する要求を前記ウェブ・サーバーに送ることによって前記サーバー・コンテンツを生成し、前記ブラウザーにおいて前記サーバー・コンテンツを表示するステップを含む、方法。
【請求項９】
請求項５記載の方法であって、更に、
ブラウザー・ページを表すツリー・データー構造を表示するステップを含み、前記ブラウザー・ページが前記ブラウザー内に表示される、方法。
【請求項１０】
コンピューター実行可能命令を含むコンピューター読み取り可能記憶媒体であって、前記コンピューター実行可能命令を実行すると、計算デバイスの少なくとも１つのプロセッサーに、
統合開発環境（ＩＤＥ）のブラウザーにおける選択を受け取るステップと、
前記ブラウザーにおける前記選択を、ダイナミック・ブラウザー・ファイル・ブロック・リストにおける位置範囲にマッピングするステップと、
前記ダイナミック・ブラウザー・ファイル・ブロック・リストにおける前記位置範囲を、フェッチ・ファイル・ブロック・リストにおける位置範囲にマッピングするステップであって、前記フェッチ・ファイルが、ウェブ・サーバーから受信されたファイルを含む、ステップと、
前記フェッチ・ファイル・ブロック・リストにおける前記位置範囲を、前記ブラウザーにおいて前記選択を生成したソース・ファイルにおける対応する位置範囲にマッピングするステップと、
前記ソース・ファイルに対しなされた１つ以上のユーザー変更を前記ウェブ・サーバーが処理することに基づいて、前記ウェブ・サーバーからアップデートされたコンテンツを受けるステップと、
前記ブラウザーにおける選択と、ソース・コード・エディターにおいて前記変更されたソース・ファイルにおける前記対応する位置範囲までスクロールされる前記ソース・ファイルとを、前記ＩＤＥにおいて同時に表示するステップと、
を行わせる、コンピューター読み取り可能記憶媒体。